(57)【要約】【課題】使用者の状況を端末間で通信する場合に、通信相手を簡便に指定できる状況通信装置を提供する。【解決手段】状況通信端末１の筐体上部には、通信相手先の端末を指定するための識別部材５２が装着される装着部５５が設けられ、その下方には、フォトセンサ１８が設けられている。カード型の識別部材５２は、裏面下部に反射型のスリットを有し、そのスリットにより通信相手先の端末ＩＤが指定される。使用者が所望の通信先を指定した識別部材５２のカード裏面がフォトセンサ１８に対向するように装着部５５に装着すると、フォトセンサ１８が指定状況通信端末のＩＤを読み取り、指定端末として認識される。状況通信端末１が算出した状況推論値と指定端末ＩＤを仲介サーバに送信すると、仲介サーバが全端末情報を返信するので、その中から指定端末の情報を検索し、アクチュエータにより指定端末の状況を表示する。【選択図】図４
2007110459.tif 000002
【特許請求の範囲】
【請求項１】
使用者に関する生体情報又は周辺環境に関する環境情報を計測するセンサと、
前記センサにより計測された計測情報又は当該計測情報に基づく情報を送信する送信手段と、
筐体上に設けられ、通信先を識別するための識別部材を装着する装着部と、
当該装着部に設けられ、前記識別部材が当該装着部に装着されたときに当該識別部材の指定する通信先を検出する検出手段と、
前記計測情報又は当該計測情報に基づく情報を送信するよう前記送信手段を制御する制御手段と
を備えたことを特徴とする状況通信装置。
【請求項２】
前記識別部材は、通信先に関する情報を表示する表示領域を有することを特徴とする請求項１に記載の状況通信装置。
【請求項３】
前記センサは、マイクを含み、
前記識別部材は、前記表示領域を使用者から視認可能に前記装着部に装着され、
前記マイクは、前記識別部材が前記装着部に装着された状態で前記表示領域が表示される側の筐体側面である表示側側面部に配置されることを特徴とする請求項２に記載の状況通信装置。
【請求項４】
前記センサは赤外線センサを含み、
当該赤外線センサは、前記表示側側面部に対向するように使用者が当該状況通信装置を把持したときの把持位置近傍に配置されることを特徴とする請求項３に記載の状況通信装置。
【請求項５】
前記検出手段は、フォトセンサであることを特徴とする請求項１乃至４のいずれかに記載の状況通信装置。
【請求項６】
前記筐体は、少なくとも一部に曲面部を有し、
前記装着部は、前記筐体の前記曲面部に設けられ、且つ、前記識別部材が装着された状態において、前記識別部材が前記曲面部から突出しないように、窪んでいることを特徴とする請求項１乃至５のいずれかに記載の状況通信装置。
【請求項７】
前記装着部は、前記筐体の上部において、上方に開口して設けられたことを特徴とする請求項１乃至６のいずれかに記載の状況通信装置。
【発明の詳細な説明】
【技術分野】
【０００１】
本発明は、状況通信装置に関するものである。
【背景技術】
【０００２】
一般に、使用者同士の円滑なコミュニケーションのために、情報交信に際して感情変化等を送信することが可能なシステムが知られており、感情変化をリアルタイムに相互更新することが可能なものも提案されている（例えば、特許文献１）。このようなシステムでは、情報更新用端末に検出機構が設けられ、検出機構で検出された感情変化に基づいて、情報交信元の喜怒哀楽の程度が判定され、その判定結果が情報交信先に送信される。そして、受信した情報交信先の情報交信用端末では、受信した情報交信元の感情変化を報知する報知機構を備え、画像、音声、振動等により報知している。
【特許文献１】特開２００５−７２７４３号公報
【発明の開示】
【発明が解決しようとする課題】
【０００３】
しかしながら、上記システムにおいては、情報交信先を切り替えることは想定されていない。相手先を特定する公知の方法としては、メールアドレスやＩＰアドレスの指定があるが、文字等の入力が必要となる。この場合には、キーボードなどの入力装置から直接入力するか、アドレスリストの中から選択入力する必要があるため、キーボード型の入力装置を有しない装置の場合には、入力が煩雑になる問題もあった。
【０００４】
本発明は上記問題を解決するためになされたものであり、使用者の状況を複数の端末間で通信する場合に、通信相手を簡便に指定できる状況通信装置を提供することを目的とする。
【課題を解決するための手段】
【０００５】
上記目的を達成するために、本発明の請求項１に記載の状況通信装置は、使用者に関する生体情報又は周辺環境に関する環境情報を計測するセンサと、前記センサにより計測された計測情報又は当該計測情報に基づく情報を送信する送信手段と、筐体上に設けられ、通信先を識別するための識別部材を装着する装着部と、当該装着部に設けられ、前記識別部材が当該装着部に装着されたときに当該識別部材の指定する通信先を検出する検出手段と、前記計測情報又は当該計測情報に基づく情報を送信するよう前記送信手段を制御する制御手段とを備えたことを特徴とする。
【０００６】
また、本発明の請求項２に記載の状況通信装置は、請求項１に記載の発明の構成に加え、前記識別部材が、通信先に関する情報を表示する表示領域を有することを特徴とする。
【０００７】
また、本発明の請求項３に記載の状況通信装置は、請求項２に記載の発明の構成に加え、前記センサが、マイクを含み、前記識別部材は、前記表示領域を使用者から視認可能に前記装着部に装着され、前記マイクは、前記識別部材が前記装着部に装着された状態で前記表示領域が表示される側の筐体側面である表示側側面部に配置されることを特徴とする。
【０００８】
また、本発明の請求項４に記載の状況通信装置は、請求項３に記載の発明の構成に加え、前記センサが赤外線センサを含み、当該赤外線センサは、前記表示側側面部に対向するように使用者が当該状況通信装置を把持したときの把持位置近傍に配置されることを特徴とする。
【０００９】
また、本発明の請求項５に記載の状況通信装置は、請求項１乃至４のいずれかに記載の発明の構成に加え、前記検出手段が、フォトセンサであることを特徴とする。
【００１０】
また、本発明の請求項６に記載の状況通信装置は、請求項１乃至５のいずれかに記載の発明の構成に加え、前記筐体が、少なくとも一部に曲面部を有し、前記装着部は、前記筐体の前記曲面部に設けられ、且つ、前記識別部材が装着された状態において、前記識別部材が前記曲面部から突出しないように、窪んでいることを特徴とする。
【００１１】
また、本発明の請求項７に記載の状況通信装置は、請求項１乃至６のいずれかに記載の発明の構成に加え、前記装着部が、前記筐体の上部において、上方に開口して設けられたことを特徴とする。
【発明の効果】
【００１２】
本発明の請求項１に記載の状況通信装置は、センサにより使用者の生体情報や環境情報を計測し、識別部材が装着部に装着されたときに通信先を検出し、計測情報や計測情報に基づく情報を送信する。従って、識別部材の装着という簡単な操作のみで情報の通信先を指定でき、複数の通信先を切り替える際も簡単に素早く処理ができる。
【００１３】
また、本発明の請求項２に記載の状況通信装置は、請求項１に記載の発明の構成に加え、識別部材が、通信先に関する情報を表示する表示領域を有するので、その表示領域内に通信相手の顔写真、名前等の情報を表示させておけば、簡単に通信先を管理することができ、使用者が通信中に通信先を把握しやすい。
【００１４】
また、本発明の請求項３に記載の状況通信装置は、請求項２に記載の発明の構成に加え、センサとしてマイクを有し、装着部に装着された識別部材の表示領域が見えるように使用者が状況通信装置を把持すると、表示側側面部、すなわち、使用者の正面にマイクが配置されるようになるので、マイクからの集音を容易に行なうことができる。また、装着部に装着された識別部材の表示領域が見えるように使用者が状況通信装置を置くと、表示側側面部、すなわち、使用者から見えるように位置にマイクが配置されるようになるので、置かれた状態においてもマイクからの集音を容易に行なうことができる。
【００１５】
また、本発明の請求項４に記載の状況通信装置は、請求項３に記載の発明の構成に加え、センサとして赤外線センサを有し、表示側側面部に向き合うように使用者が状況通信装置を把持すると、その把持位置近傍に赤外線センサが配置されることとなるので、赤外線センサを用いた使用者の脈拍の取得が容易に行える。
【００１６】
また、本発明の請求項５に記載の状況通信装置は、請求項１乃至４のいずれかに記載の発明の構成に加え、フォトセンサを用いて識別部材から通信先を検出するので、識別部材に反射型のスリットを設けるだけで簡単に通信先の指定ができる。
【００１７】
また、本発明の請求項６に記載の状況通信装置は、請求項１乃至５のいずれかに記載の発明の構成に加え、装着された識別部材が筐体から突出しないので、把持しやすい。
【００１８】
また、本発明の請求項７に記載の状況通信装置は、請求項１乃至６のいずれかに記載の発明の構成に加え、装着部が上方に開口しているので、識別部材を上から下に装着でき、装着しやすい。
【発明を実施するための最良の形態】
【００１９】
以下、本発明の実施の形態について説明する。まず、本発明の状況通信装置間の通信を仲介サーバを介して行なう状況通信システム１００の全体構成について説明する。図１は、状況通信システム１００の構成を示すシステム構成図である。
【００２０】
図１に示すように、状況通信システム１００は、使用者や周囲の状況を表現でき、インターネット４に接続した複数の状況通信端末１と、インターネット４に接続し、状況通信端末１相互の通信を仲介する仲介サーバ２とから構成されている。状況通信端末１は、本発明の状況通信装置に相当し、後述するように、各種のセンサを備え、そのセンサが検知したセンシングデータに基づいて使用者や周囲の状況を推論し、その結果を仲介サーバ２に送信し、仲介サーバ２から他の状況通信端末１の状況推論結果を得て、それに基づいてＬＥＤ等の表現手段を使って他の状況通信端末１や自身の状況を表現する。
【００２１】
次に、状況通信端末１について説明する。図２は、状況通信端末１を斜め上方から見たイメージ図であり、図３は、状況通信端末１を前方から見たイメージ図である。図４は、状況通信端末１を側方から見たイメージ図である。図５は、（ａ）が識別部材５２の表面図であり、（ｂ）が識別部材５２の裏面図である。図６は、状況通信端末１の電気的構成を示すブロック図である。
【００２２】
図２〜図４に示すように、状況通信端末１は略球体であり、使用者が片手又は両手に把持できる程度のサイズである。状況通信端末１の筐体は、数ｍｍの厚み（例えば、５ｍｍ厚）の透明性を有する合成樹脂で球状に構成されており、その内部には球状の密閉空間が形成されている。
【００２３】
状況通信端末１の筐体の上部であって、かつ、前方側には、上方に開口し、カード状の識別部材５２を装着するための装着部５５が設けられている。装着部５５は、識別部材５２が使用者から視認でき、かつ、識別部材５２の装着部に対する着脱の際に識別部材５２をつかみやすくすることができ、かつ、筐体から突出しないように、筐体表面をえぐるように設けられた窪み部５０の中に上方に開口されている。装着部５５の下方の筐体内部には、識別部材５２に記載された他の状況通信端末１を指定する情報を読み取るための反射型フォトインタラプタからなるフォトセンサ１８が設けられている。
【００２４】
また、図５に示すように、識別部材５２は、略半月形のカード状に形成されている。そして、（ａ）に示すように、その表面は、通信相手先として指定する相手の顔写真や名前等の識別情報を使用者に視認可能に記載するための表示領域５４となっている。また、（ｂ）に示すように、カード裏面の下部には、フォトセンサ１８で読み取れる指定状況通信端末のＩＤを示す反射型のスリットが設けられている。スリットを有するカード裏面がフォトセンサ１８に対向するように識別部材５２を装着部５５に上方から装着すると、フォトセンサ１８が指定状況通信端末のＩＤを読み取り、そのＩＤは、後述するように指定情報としてＲＡＭ３０（図６参照）内に記憶される。
【００２５】
また、状況通信端末１の筐体内部には、状況通信端末１の筐体の下端部における設置面と平行であって、当該筐体の中心部を通る平面に配置された円形板状の基板が設けられており、その基板に各種センサ１２〜１８（図６参照）、アクチュエータ２１及び２３（図６参照）、制御部９９（図６参照）などが接続又は設置されている。
【００２６】
また、図６に示すように、状況通信端末１の筐体内部には、状況通信端末１の制御を司るＣＰＵ１０，ＲＯＭ２０，ＲＡＭ３０，時間を計測する計時装置４０，仲介サーバ２と通信するための通信部６０，各種モジュールを接続するためのＩ／Ｏインタフェイス７０等が収納された制御部９９が設けられている。そして、制御部９９ではバス８０を介して、ＲＯＭ２０，ＲＡＭ３０，計時装置４０，通信部６０，Ｉ／Ｏインタフェイス７０が、ＣＰＵ１０に接続している。そして、図示しないが、状況通信端末１はバッテリーにより電源供給されている。尚、ＲＯＭ２０には、後述の図１３〜図１８の各処理を実行するための状況通信プログラムが記憶されている。
【００２７】
また、状況通信端末１は、各種センサ１２〜１８が接続されるＡＤ変換器９０と、アクチュエータ２１，２３を差し込むための拡張ポート９１とを具備している。ＡＤ変換器９０はＩ／Ｏインタフェイス７０及びバス８０を介してＣＰＵ１０に接続しており、各種センサ１２〜１８から入力されるアナログデータの計測値が、ＡＤ変換器９０によりデジタルデータに変換されて制御部９９に入力される。拡張ポート９１もＩ／Ｏインタフェイス７０及びバス８０を介してＣＰＵ１０に接続しており、制御部９９から出力されるデジタルデータの指示信号が、拡張ポート９１を介してアクチュエータ２１，２３に入力される。そして、各種センサ１２〜１８はＡＤ変換器９０において着脱，追加，交換などが可能であり、アクチュエータ２１，２３は拡張ポート９１において着脱，追加，交換などが可能である。
【００２８】
ここで、各種センサ１２〜１７について説明する。まず、加速度センサ１２は、静電容量の変化、圧電セラミック等を利用する加速度センサであり、状況通信端末１の動き（状況通信端末１にかかった加速度とその方向）を計測する。温度センサ１３は、白金測温抵抗体、サーミスタ、熱電対などを用いている、所謂温度計であり、状況通信端末１の周囲の温度及び装置に触れている手のひらや指の温度を計測する。赤外線センサ１４は、血液の膨張収縮による距離の差分を検出して、触れている人の心拍（脈拍数）を計測する。光センサ１５は、フォトトランジスタやＣｄＳ等を利用した光の強さを計測するセンサであり、状況通信端末１の表面に設けられている。
【００２９】
圧力センサ１６は、状況通信端末１の表面に設けられ、導電性ゴムに定抵抗を直列接続し、ある電圧をかけて導電性ゴムの分圧値を測定することにより状況通信端末１にかかった圧力を計測する。マイク１７は、音声等、状況通信端末１の周囲の音を入力する。
【００３０】
また、温度センサ１３，赤外線センサ１４，光センサ１５，圧力センサ１６，マイク１７は、図３に示すように、状況通信端末１の筐体の中心部を通る平面付近の筐体表面に配置されている。そして、識別部材５２が装着部５５に装着された状態で、表示領域５４が見えるように使用者が状況通信端末１を把持すると、温度センサ１３，赤外線センサ１４，光センサ１５，圧力センサ１６に使用者の指が接触し、センシングが適切になされるとともに、マイク１７が使用者の正面に位置するようになるので、使用者の周囲の音声を拾いやすくなる。また、状況通信端末１を置く際に、装着部５５に装着された識別部材５２の表示領域５４が見えるように使用者が状況通信端末１を置くと、使用者から見えるような位置にマイク１７が配置されるようになるので、置かれた状態においてもマイク１７から周囲の音声を拾いやすくなる。
【００３１】
次に、センシングデータに基づき得られた状況推論値を表現するためのアクチュエータであるＬＥＤ２１及びモータ２３について説明する。ＬＥＤ２１は種々の色や明るさで点灯するものであり、任意の方向（上側、下側など）に対して発光可能である。モータ２３は状況通信端末１を振動させる。
【００３２】
尚、状況通信端末１には、パーソナルコンピュータのようなキーボードは設けられていない。そこで、状況通信端末１の各種センサ１２〜１７が検知した情報を所定の動作を指示する指示入力として予め登録しておき、使用者が状況通信端末１を握ってジェスチャ（所定回数振る、握る等）を行うことにより動作の指示を行っている。
【００３３】
次に、状況通信端末１で使用されるテーブル等が記憶されるＲＡＭ３０の記憶エリアについて、図７〜図１２を参照して説明する。図７は、ＲＡＭ３０の記憶エリアの構成を示す模式図である。図８は、ＲＡＭ３０のセンシングデータ記憶エリア３０１の構成を示す模式図である。図９は、状況推論テーブル記憶エリア３０２に記憶された状況推論テーブルの構成を示す模式図である。図１０は、自端末情報記憶エリア３０３の構成を示す模式図である。図１１は、全端末情報記憶エリア３０４の構成を示す模式図である。図１２は、状況表示テーブル記憶エリア３０５に記憶された状況表示テーブルの構成を示す模式図である。
【００３４】
まず、図７に示すように、ＲＡＭ３０には、各種センサ１２〜１７が計測した値であるセンシングデータを記憶するセンシングデータ記憶エリア３０１，センシングデータに基づいて状況推論を行なうための状況推論テーブルを記憶する状況推論テーブル記憶エリア３０２，自身のＩＤ、指定状況通信端末のＩＤ、自身の状況推論値を記憶するための自端末情報記憶エリア３０３，仲介サーバ２から受信した全ての状況通信端末のＩＤ、指定状況通信端末のＩＤ、その状況通信端末の状況推論値を記憶する全端末情報記憶エリア３０４，状況推論値に従ってアクチュエータに状況表示をさせるための状況表示テーブルを記憶する状況表示テーブル記憶エリア３０５，図示外のその他の記憶エリアが設けられている。
【００３５】
また、図８に示すように、センシングデータ記憶エリア３０１には、保存バッファ１と保存バッファ２が設けられ、各種センサ１２〜１７が検出し、ＡＤ変換器９０によりデジタルデータに変換された値（センシングデータ）である、圧力データ、温度データ、光データ、音データが、計測の都度保存バッファ１に記憶され、すべてのセンサからのセンシングデータが揃うと、保存バッファ２にコピーされ、保存バッファ２の値が状況推論処理で使用される（詳細は後述）。尚、図８に示す各センシングデータは、理解を容易にするために、センサの電圧値からＡＤ変換された値からさらに各単位に変換された値を用いているが、センサの電圧値からＡＤ変換された値をそのまま用いるようにしてもよい。
【００３６】
次に、図９に示すように、状況推論テーブル記憶エリア３０２には、取得した各種のセンシングデータに基づいて使用者の状況を推論するための状況推論テーブルが記憶されている。本実施形態では、圧力、温度、光、音の各センシングデータの値を状況推論テーブルにあてはめて状況推論処理が実行され、結果が状況推論値として出力される。
【００３７】
次に、図１０に示すように、自端末情報記憶エリア３０３には、当該状況通信端末自身の情報として、あらかじめ設定されている状況通信端末のＩＤ（図１０の例ではＩＤ「Ａ」）と、識別部材５２の装着部５５への装着により指定された他の状況通信端末１のＩＤ（図１０の例ではＩＤ「Ｂ」）と、センシングデータに基づく状況推論の結果出力された状況推論値（図１０の例では「１」）とが記憶されている。尚、識別部材５２が装着されていないときは、指定端末ＩＤの項目は情報なしとなる。
【００３８】
次に、図１１に示すように、全端末情報記憶エリア３０４には、仲介サーバ２から受信した、すべての状況通信端末１についての情報が記憶される。情報の項目としては、自端末情報と同様に、その状況通信端末１のＩＤ、当該状況通信端末１が指定している他の状況通信端末のＩＤ、当該状況通信端末１が出力した状況推論値から構成されている。
【００３９】
次に、図１２に示すように、状況表示テーブル記憶エリア３０５には、状況推論処理によって得られた状況推論値、又は、受信した他の状況通信端末１の状況推論値に基づいて、アクチュエータにより状況通信端末１に状況を表現するための状況表示テーブルが記憶されている。自身の状況推論値についても、他の状況通信端末１の状況推論値についても、状況表示の方法は同一であり、たとえば、状況推論値が「１」であれば、ＬＥＤ２１を赤色で点灯し、状況推論値が「２」であれば、ＬＥＤ２１を青色で点灯し、状況推論値が「３」であれば、ＬＥＤ２１を緑色で点灯する。ＬＥＤ２１は、前述のように方向を指定して点灯できるため、自身の状況については状況通信端末１下部に、指定端末の状況については上部に表示するように構成されている。尚、状況表示の方法は、ＬＥＤ２１に限定されず、モータ２３を振動させたり双方を組み合わせたり、他のアクチュエータを接続したりすることにより種々の表現が可能である。
【００４０】
次に、以上の構成を有する状況通信端末１の動作について説明する。図１３は、状況通信端末１のメイン処理のフローチャートである。図１４は、メイン処理により起動されるＩＤ認識処理のフローチャートである。図１５は、メイン処理により起動されるセンサ処理のフローチャートである。図１６は、メイン処理で実行される状況推論処理のフローチャートである。図１７は、メイン処理で実行されるデータ送受信処理のフローチャートである。図１８は、メイン処理で実行される指定端末状況表示処理のフローチャートである。尚、本実施の形態のメイン処理（図１３）は、状況通信端末１にバッテリーがセットされて、電源がオンされると状況通信プログラムが起動され、状況通信端末１のＣＰＵ１０により継続的に実施される。
【００４１】
図１３に示すように、メイン処理では、まず、種々のデータやフラグ等の初期化が行われる（Ｓ１）。例えば、ＲＡＭ３０においてセンシングデータ記憶エリア３０１が初期化されたり、ジェスチャ回数をカウントするためのカウント値がクリアされたりする。
【００４２】
初期化（Ｓ１）が実行されると、次に、識別部材５２から通信先のＩＤをフォトセンサ１８により読み取るＩＤ認識処理を起動する。ＩＤ認識処理の詳細については、図１４を参照して後述する。ＩＤ認識処理は、起動後、終了指示があるまで繰り返し実行される。
【００４３】
次に、各種センサ１２〜１７の計測値を取得するセンサ処理を起動する（Ｓ３）。センサ処理の詳細については、図１５を参照して後述する。センサ処理は、起動後、終了指示があるまで繰り返し実行される。
【００４４】
次に、センサ処理により取得されセンシングデータ記憶エリア３０１に記憶されているセンシングデータに基づいて、使用者の感情等の状況を推論して指標値を算出する状況推論処理を実行する（Ｓ４）。状況推論処理の詳細については、図１６を参照して後述する。
【００４５】
次に、自端末情報記憶エリア３０３に記憶されている自己の状況推論値に基づいて（図１０参照）、状況表示テーブル記憶エリア３０５に記憶されている状況表示テーブルに従って（図１２参照）、ＬＥＤ２１やモータ２３により自身の状況表示を行なう（Ｓ５）。例えば、状況推論値が「１」であれば、ＬＥＤ２１を赤色で点灯する。尚、自己端末の状況表示は、状況通信端末１の下側半分に表示される。
【００４６】
次に、状況推論処理により得られた状況推論値を仲介サーバ２に送信し、仲介サーバ２から自分自身及び他の状況通信端末１を含む全端末の状況推論値を受信するデータ送受信処理を実行する（Ｓ６）。データ送受信処理の詳細については、図１７を参照して後述する。
【００４７】
次に、仲介サーバ２から受信した全端末情報の中から表示させたい端末として指定した他の状況通信端末１の状況推論値に基づいて、アクチュエータを用いて状況を表示する指定端末状況表示処理を実行する（Ｓ７）。指定端末状況表示処理の詳細については、図１８を参照して後述する。
【００４８】
そして、状況通信端末１の電源がＯＦＦされたか否かを判断し（Ｓ８）、電源ＯＦＦでなければ（Ｓ８：ＮＯ）、Ｓ４に戻り、上述の処理を繰り返す。電源ＯＦＦの場合には（Ｓ８：ＹＥＳ）、起動中の全ての処理を終了させ（Ｓ９）、メイン処理を終了する。
【００４９】
次に、図１４を参照して、メイン処理により起動されるＩＤ認識処理について説明する。まず、ＩＤ認識処理が起動されると、まず、フォトセンサ１８の反射型フォトインタラプタを起動する（Ｓ２１）。そして、タイマをスタートする（Ｓ２２）。
【００５０】
次に、０．５秒経過したか否かを判断し（Ｓ２３）、経過していなければ（Ｓ２３：ＮＯ）、経過するまでＳ２３を繰り返して待機する。０．５秒経過していれば（Ｓ２３：ＹＥＳ）、識別部材５２の反射型スリットからＩＤデータを取得する（Ｓ２４）。このＩＤデータは、指定端末ＩＤとして、自端末情報記憶エリア３０３（図１０）に記憶される。そして、タイマをリセットし（Ｓ２５）、Ｓ２２に戻る。以上の処理を繰り返すことにより、０．５秒毎に識別部材５２のＩＤデータが取得されることとなる。尚、識別部材５２が装着されていない場合には、ＩＤデータは取得されないので、自端末情報記憶エリア３０３の指定端末ＩＤは情報なしとなる。
【００５１】
次に、図１５を参照して、メイン処理により起動されるセンサ処理について説明する。まず、センサ処理が起動されると、各種センサ１２〜１７を起動して計測を開始する（Ｓ１０１）。そして、センサからセンシングデータを取得し（Ｓ１０２）、センシングデータ記憶エリア３０１の保存バッファ１に取得したセンシングデータを保存する（Ｓ１０３）。例えば、圧力センサ１６と光センサ１５からのセンシングデータのみ取得できた場合は、図８に示すように、圧力データと光データのみがセンシングデータ記憶エリア３０１の保存バッファ１に記憶される。
【００５２】
次に、バッファ１に全てのセンサからのセンシングデータが揃ったか否かを判断し（Ｓ１０４）、全てのセンサについて取得できていなければ（Ｓ１０４：ＮＯ）、Ｓ１０２に戻り、計測済のセンシングデータを取得する。例えば、上述のように、センシングデータ記憶エリア３０１の保存バッファ１に圧力データと光データしかなければ、温度データや音データが揃うまで、センシングデータの取得を繰り返す。
【００５３】
バッファ１に全てのセンサからのセンシングデータが揃ったら（Ｓ１０４：ＹＥＳ）、保存バッファ１のデータを保存バッファ２にコピーする（Ｓ１０５）。このとき、ＣＰＵ１０は、ＲＡＭ３０の更新フラグ（図示せず）を「１」に設定する。そして、次のセンシングデータ取得のために、保存バッファ１のデータをクリアする（Ｓ１０６）。そして、Ｓ１０２に戻り、センシングデータ取得・保存の処理を繰り返す。
【００５４】
以上のようにセンサ処理が継続して実行されるので、センシングデータ記憶エリア３０１の保存バッファ２には常に使用できるセンシングデータが記憶されていることになり、メイン処理でこのセンシングデータに基づいて状況推論処理を実行することができる（図１３、Ｓ４）。
【００５５】
次に、図１６を参照して、メイン処理で実行される状況推論処理について説明する。状況推論処理が開始されると、まず、センシングデータ記憶エリア３０１の保存バッファ２が更新されたか否かを判断する（Ｓ３１）。つまり、Ｓ３１では、ＣＰＵ１０は、更新フラグが「１」であるか否かを判断する。センシングデータ記憶エリア３０１の保存バッファ２は、前述のセンサ処理において、全てのセンサから新たなセンシングデータが取得されたときに保存バッファ１からコピーされて更新される（図１５、Ｓ１０５）。従って、保存バッファ２が更新されていれば、新たなセンシングデータが得られたということなので、そのセンシングデータに基づいて状況推論が可能になっている。そこで、保存バッファ２が更新されていなければ（Ｓ３１：ＮＯ）、Ｓ３１の判断を繰り返し行ない、更新されるまで待機する。
【００５６】
保存バッファ２が更新されていれば（Ｓ３１：ＹＥＳ）、保存バッファ２に保存されている各センシングデータに基づいて、状況推論テーブル記憶エリア３０２に記憶されている状況推論テーブを用いて状況推論値を算出する（Ｓ３２）。例えば、図８のように保存バッファ２にセンシングデータが記憶されているとすると、図９の状況推論テーブルを参照すると、圧力が５(kg/cm2)以上、温度が３５(℃)以上、光が１０(lx)以下、音が１０(db)以上であるから、状況推論値は「１」の「使用者が興奮している」と算出される。
【００５７】
以上の処理で算出された状況推論値は、図１０に示す自端末情報記憶エリア３０３の状況推論値の項に記憶される（Ｓ３３）。このとき、ＣＰＵ１０は、更新フラグを「０」にリセットする。そして、メイン処理に戻る。
【００５８】
次に、図１７を参照して、メイン処理で実行されるデータ送受信処理について説明する。データ送受信処理が開始されると、自端末情報記憶エリア３０３に記憶されている情報（図１０参照）、すなわち、自己の端末ＩＤ、状況を自己の端末に表示させたい相手の端末ＩＤ、状況推論処理で得られた自己の状況推論値を、仲介サーバ２に送信する（Ｓ４１）。
【００５９】
仲介サーバ２は、その端末情報の受信すると、仲介サーバ２に記憶しているすべての状況通信端末１についての情報である全端末情報を送信してくるので（詳細は後述する）、その全端末情報を受信する（Ｓ４２）。そして、受信した内容を全端末情報記憶エリア３０４に記憶して、更新し（Ｓ４３）、メイン処理に戻る。以上の処理により、自己の状況推論値を仲介サーバ２に送信したタイミングで、その時点で仲介サーバ２が持っていた他の状況通信端末１の情報が全て送信されてくるので、全ての状況通信端末１についての状況推論値を記憶しておくことができる。
【００６０】
次に、図１８を参照して、メイン処理で実行される指定端末状況表示処理について説明する。まず、自端末情報記憶エリア３０３（図１０参照）に、指定端末ＩＤが記憶されているか、すなわち、状況を表示したい端末のＩＤが指定されているか否かを判断する（Ｓ５１）。前述のように、識別部材５２が装着部５５に装着されると、フォトセンサ１８により指定端末ＩＤが読み取られ、フォトセンサ１８からの出力値が自端末情報記憶エリア３０３の指定端末ＩＤ項目に記憶される。
【００６１】
端末の指定がない場合には（Ｓ５１：ＮＯ）、状況を表示すべきものが存在しないので、そのままメイン処理に戻る。
【００６２】
自端末情報記憶エリア３０３に、指定端末ＩＤが記憶されている場合には（Ｓ５１：ＹＥＳ）、次に、全端末情報記憶エリア３０４に記憶されている情報から指定端末ＩＤを検索する（Ｓ５２）。
【００６３】
次に、検索の結果発見された端末の情報に含まれる指定端末のＩＤが、自端末のＩＤであるか否か、すなわち、互いに指定しあっているか否かを判断する（Ｓ５３）。例えば、自己の端末ＩＤがＡ、自端末が指定している相手のＩＤがＢの場合に、全端末情報記憶エリア３０４から発見された端末Ｂの指定端末ＩＤが「Ａ」であるか否かを判断する。指定端末の指定端末ＩＤが自端末ＩＤではない場合は（Ｓ５３：ＮＯ）、そのままＳ５５に進む。
【００６４】
指定端末ＩＤが互いに一致している場合には（Ｓ５３：ＹＥＳ）、相互に指定していることを示す特別の表示を行なう（本実施形態では、「両思い表示」とも称する。）（Ｓ５４）。この両思い表示は、専用ＬＥＤを設けて点灯するようにしたり、通常のＬＥＤを点滅させるようにしたり、種々の方法で実現できる。
【００６５】
そして、両思い表示（Ｓ５４）後、又は、両思い表示をしない場合には（Ｓ５３：ＮＯ）、次に、Ｓ５２で発見された指定端末の情報に、状況推論値が含まれているか否かを判断する（Ｓ５５）。指定端末の状況推論値が記憶されていない（情報なし）場合には（Ｓ５５：ＮＯ）、状況の表示が不能であるため、そのままメイン処理に戻る。
【００６６】
指定端末の状況推論値が記憶されている場合には（Ｓ５５：ＹＥＳ）、その状況推論値に基づいて、状況表示テーブル記憶エリア３０５に記憶されている状況表示テーブルに従って（図１２参照）、ＬＥＤ２１やモータ２３等のアクチュエータにより状況表示を行い（Ｓ５６）、メイン処理に戻る。例えば、状況推論値が「２」であれば、ＬＥＤ２１を青色で点灯する。尚、指定端末の状況表示は、状況通信端末１の上側半分に表示される。
【００６７】
次に、状況通信システム１００を構成する仲介サーバ２の構成及び動作について、図１９〜図２１を参照して説明する。まず、図１９及び図２０を参照して、仲介サーバ２の構成について説明する。図１９は、仲介サーバ２の電気的構成を示すブロック図である。図２０は、全端末情報記憶エリア１８２の構成を示す模式図である。
【００６８】
仲介サーバ２は、一般的なコンピュータであり、ルータ１９５を経由してインターネット４に接続可能な通信装置１９０を備えている。
【００６９】
図１９に示すように、仲介サーバ２には、仲介サーバ２の制御を司るＣＰＵ１１０が設けられ、ＣＰＵ１１０には、各種のデータを一時的に記憶するＲＡＭ１２０と、ＢＩＯＳ等を記憶したＲＯＭ１３０と、データの受け渡しの仲介を行うＩ／Ｏインタフェイス１７０とが接続されている。Ｉ／Ｏインタフェイス１７０には、ハードディスク装置１８０が接続され、ハードディスク装置１８０には、プログラム記憶エリア１８１と、各状況通信端末１から送信されてきた端末情報を記憶しておく全端末情報記憶エリア１８２と、図示外のその他の情報記憶エリアとが設けられている。プログラム記憶エリア１８１にはＣＰＵ１１０で実行されるプログラムが記憶されている。
【００７０】
また、Ｉ／Ｏインタフェイス１７０には、ビデオコントローラ１４０と、キーコントローラ１５０と、ＣＤ−ＲＯＭドライブ１６０と、通信装置１９０とが接続され、ビデオコントローラ１４０にはディスプレイ１４５が接続され、キーコントローラ１５０にはキーボード１５５が接続され、通信装置１９０はルータ１９５を経由してインターネット４に接続可能となっている。尚、ＣＤ−ＲＯＭドライブ１６０に装着されるＣＤ−ＲＯＭ１６５には、仲介サーバ２の制御プログラムが記憶されており、導入時には、制御プログラムは、ＣＤ−ＲＯＭ１６５から、ハードディスク装置１８０にセットアップされてプログラム記憶エリア１８１に記憶されるようになっている。
【００７１】
次に、図２０を参照して、ハードディスク装置１８０の全端末情報記憶エリア１８２について説明する。全端末情報記憶エリア１８２には、仲介サーバ２に各状況通信端末１から送信されてきた端末ＩＤ、指定端末ＩＤ、状況推論値が記憶されている。各状況通信端末１から新たなデータが送信されてくると、その端末ＩＤに対応する状況通信端末１の指定端末ＩＤ及び状況推論値が新たなものに書き替えられ、全端末情報が更新される。例えば、図２０上段に示すように、更新前の全端末情報エリア１８２には、Ａ，Ｂ，Ｃ，・・・のＩＤを有する状況通信端末１について、端末Ａは、指定端末はなし、状況推論値が０、端末Ｂは、指定端末がＡ、状況推論値が２、端末Ｃは、指定端末はなし、状況推論値が３、・・・と記憶されている。ここで、端末Ａからデータが送信されてくると、図２０下段に示すように、全端末情報記憶エリア１８２は、端末Ａについてのデータが更新されて、端末Ａは、指定端末がＢ、状況推論値が１、端末Ｂは、指定端末がＡ、状況推論値が２、端末Ｃは、指定端末はなし、状況推論値が３、・・・と記憶される。
【００７２】
次に、図２１を参照して、仲介サーバ２の動作について説明する。図２１は、仲介サーバ２のメイン処理のフローチャートである。電源が投入され、仲介サーバ２のメイン処理が開始されると、初期化が実行された後（Ｓ２０１）、いずれかの状況通信端末１から情報を受信したか否かを判断する（Ｓ２０２）。受信していなければ（Ｓ２０２：ＮＯ）、受信するまで待ち、Ｓ２０２の判断を繰り返す。受信した場合には（Ｓ２０２：ＹＥＳ）、受信した端末情報（図１０参照）を取得して、全端末情報記憶エリア１８２のその端末に関するレコードを更新する（Ｓ２０３）。例えば、全端末情報記憶エリア１８２の内容が図２０の上段に示す状態である場合に、端末ＩＤがＡの状況通信端末１（端末Ａ）から、図１０の内容の端末情報が送信されてきた場合には、端末Ａの部分の情報が更新されて、図２０下段に示すような内容となる。
【００７３】
そして、更新後の全端末情報記憶エリア１８２に記憶されているすべての端末の情報を、情報を送信してきた状況通信端末１（上述の例では、端末Ａ）に対して送信する（Ｓ２０４）。そして、Ｓ２０２に戻る。従って、端末情報を送信してきた状況通信端末１は、折り返し仲介サーバ２から他の状況通信端末１についての端末情報を得ることができる。そして、前述のように、受信した全端末情報から指定端末情報を取り出して、指定した端末の状況としてアクチュエータにより表示させることができる。
【００７４】
次に、以上説明した各処理を実行する複数の状況通信端末１及び仲介サーバ２からなる状況通信システム１００において、全体としてどのように処理が実行されるかについて、図２２のタイムチャートを参照して説明する。図２２は、状況通信システム１００のタイムチャートである。ここでは、例として自身の端末ＩＤが「Ａ」であり、通信先として端末ＩＤ「Ｂ」の状況通信端末を指定している識別部材５２が装着部５５に装着されている状況通信端末Ａと、自身の端末ＩＤが「Ｂ」であり、装着部５５に識別部材５２が装着されていない状況通信端末Ｂと、仲介サーバ２との間の処理を例にとって説明する。尚、図１３〜図１８及び図２１のフローチャートも必要に応じて適宜参照する。
【００７５】
図２２に示すように、状況通信端末ＡでＩＤ認識処理が起動した後（図１３，Ｓ２）、センサ処理が起動し（図１３，Ｓ３）、センシングが実行されると（図１５）、取得されたセンシングデータに基づいて状況推論処理が実行され（図１３，Ｓ４）、状況推論値（ここでは、「１」とする）が得られる。また、図示していないが、ＩＤ認識処理により、識別部材５２から指定端末のＩＤ「Ｂ」が取得される。これらの状況推論値と指定端末ＩＤは、自端末情報記憶エリア３０３に記憶され、自端末情報（図１０参照）として仲介サーバ２に送信される（図１３，Ｓ６）。ここでは、状況通信端末Ａから仲介サーバ２に送信される自端末情報は、「自端末ＩＤ：Ａ，指定端末ＩＤ：Ｂ，状況推論値：１」となる。
【００７６】
仲介サーバ２では、状況通信端末Ａから自端末情報「自端末ＩＤ：Ａ，指定端末ＩＤ：Ｂ，状況推論値：１」を受信して、全端末情報記憶エリア１８２の該当レコードを更新する（図２１，Ｓ２０３）。そして、状況通信端末Ａに対し、全端末情報記憶エリア１８２に記憶されているすべての情報を送信する（図２１，Ｓ２０４）。例えば、全端末情報記憶エリア１８２に状況通信端末Ａと状況通信端末Ｂの端末情報が記憶されており、状況通信端末Ａの端末情報は、更新後の「自端末ＩＤ：Ａ，指定端末ＩＤ：Ｂ，状況推論値：１」であり、状況通信端末Ｂの端末情報は、「自端末ＩＤ：Ｂ，指定端末ＩＤ：情報なし，状況推論値：情報なし」とすると、この２つのレコードの情報が状況通信端末Ａに送信される。尚、ここでは仲介サーバ２は全ての状況通信端末のＩＤを予め静的に記憶しているものとするが、変形例として仲介サーバ２に接続している状況通信端末のＩＤのみ動的に記憶する、つまり、端末情報を送信した状況通信端末のＩＤのみ記憶するようにしてもよい。
【００７７】
一方、仲介サーバ２から状況通信端末Ａに全端末情報が送信される頃、状況通信端末ＢでもＩＤ認識処理が起動した後（図１３，Ｓ２）、センサ処理が起動し（図１３，Ｓ３）、センシングが実行されると（図１５）、取得されたセンシングデータに基づいて状況推論処理が実行され（図１３，Ｓ４）、状況推論値（ここでは、「２」とする）が得られる。図示していないが、ＩＤ認識処理が実行されるが、識別部材５２が装着されていないので、指定端末ＩＤは取得されない。そこで、自端末情報記憶エリア３０３には、自端末ＩＤと状況推論値のみが記憶され、指定端末ＩＤは情報なしとなる。そして、これらの、自端末情報記憶エリア３０３に記憶された値が自端末情報として仲介サーバ２に送信される（図１３，Ｓ６）。ここでは、状況通信端末Ｂから仲介サーバ２に送信される自端末情報は、「自端末ＩＤ：Ｂ，指定端末ＩＤ：なし，状況推論値：２」となる。
【００７８】
仲介サーバ２では、状況通信端末Ｂから自端末情報「自端末ＩＤ：Ｂ，指定端末ＩＤ：なし，状況推論値：２」を受信して、全端末情報記憶エリア１８２の該当レコードを更新する（図２１，Ｓ２０３）。そして、状況通信端末Ｂに対し、全端末情報記憶エリア１８２に記憶されているすべての情報を送信する（図２１，Ｓ２０４）。例えば、全端末情報記憶エリア１８２に状況通信端末Ａと状況通信端末Ｂの端末情報が記憶されており、状況通信端末Ａの端末情報は、「自端末ＩＤ：Ａ，指定端末ＩＤ：Ｂ，状況推論値：１」であり、状況通信端末Ｂの端末情報は、更新された「自端末ＩＤ：Ｂ，指定端末ＩＤ：情報なし，状況推論値：２」とすると、この２つのレコードの情報が状況通信端末Ｂに送信される。
【００７９】
状況通信端末Ａでは、仲介サーバ２から先に送信された全端末情報に基づいて、ＲＡＭ３０の全端末情報記憶エリア３０４の内容を更新する（図１７，Ｓ４３）。すなわち、送信された全端末情報、「自端末ＩＤ：Ａ，指定端末ＩＤ：Ｂ，状況推論値：１」「自端末ＩＤ：Ｂ，指定端末ＩＤ：情報なし，状況推論値：情報なし」が全端末情報記憶エリア３０４（図１１）にコピーされる。
【００８０】
ここで、状況通信端末Ａの使用者が表示させたい相手の状況通信端末は、状況通信端末Ｂであるから、その状況を表示するために（図１３，Ｓ７）、まず状況通信端末Ｂの情報を全端末情報記憶エリア３０４から検索する（図１８，Ｓ５２）が、状況通信端末Ｂの状況推論値の情報が記憶されていないため（図１８，Ｓ５５：ＮＯ）、状況表示は不能となり、状況通信端末Ａの上部には何も状況表示はなされない。
【００８１】
また、状況通信端末Ｂでも、仲介サーバ２から送信された全端末情報に基づいて、ＲＡＭ３０の全端末情報記憶エリア３０４の内容を更新する（図１７，Ｓ４３）。すなわち、送信された全端末情報、「自端末ＩＤ：Ａ，指定端末ＩＤ：Ｂ，状況推論値：１」「自端末ＩＤ：Ｂ，指定端末ＩＤ：情報なし，状況推論値：２」が全端末情報記憶エリア３０４にコピーされる。
【００８２】
ここで、状況通信端末Ｂの使用者が表示させたい相手の状況通信端末は指定されていないので（図１８，Ｓ５１：ＮＯ）、状況通信端末Ｂの上部には何も状況表示はなされない。
【００８３】
さらに、状況通信端末Ａにおいて図１３のメイン処理が繰り返され、新たなセンシングデータに基づいて状況推論処理が実行されると（図１３，Ｓ４）、その状況推論値は、再び自端末情報（図１０参照）として仲介サーバ２に送信される（図１３，Ｓ６）。ここでは、状況通信端末Ａから仲介サーバ２に送信される自端末情報は、前回と変化なく、「自端末ＩＤ：Ａ，指定端末ＩＤ：Ｂ，状況推論値：１」とする。
【００８４】
仲介サーバ２では、状況通信端末Ａから自端末情報「自端末ＩＤ：Ａ，指定端末ＩＤ：Ｂ，状況推論値：１」を受信して、全端末情報記憶エリア１８２の該当レコードを更新する（図２１，Ｓ２０３）。そして、状況通信端末Ａに対し、全端末情報記憶エリア１８２に記憶されているすべての情報を送信する（図２１，Ｓ２０４）。先に、状況通信端末Ｂから送信されてきた情報に基づいて全端末情報記憶エリア１８２の状況通信端末Ｂに対応するレコードも更新されているので、現在の全端末情報記憶エリア１８２の内容は、「自端末ＩＤ：Ａ，指定端末ＩＤ：Ｂ，状況推論値：１」「自端末ＩＤ：Ｂ，指定端末ＩＤ：情報なし，状況推論値：２」である。この情報が状況通信端末Ａに送信される。
【００８５】
そして、状況通信端末Ａでは、仲介サーバ２から送信された全端末情報に基づいて、ＲＡＭ３０の全端末情報記憶エリア３０４の内容を更新する（図１７，Ｓ４３）。すなわち、送信された全端末情報、「自端末ＩＤ：Ａ，指定端末ＩＤ：Ｂ，状況推論値：１」「自端末ＩＤ：Ｂ，指定端末ＩＤ：情報なし，状況推論値：２」が全端末情報記憶エリア３０４にコピーされる。
【００８６】
ここで、状況通信端末Ａの使用者が表示させたい相手の状況通信端末は、端末Ｂであるから、その状況を表示するために（図１３，Ｓ７）、状況通信端末Ｂの情報を全端末情報記憶エリア３０４から検索する（図１８，Ｓ５２）。今回入手した全端末情報の中には状況通信端末Ｂの状況推論値が含まれているので（図１８，Ｓ５５：ＹＥＳ）、状況通信端末Ａの上部に状況通信端末Ｂの状況を表示する（図１８，Ｓ５６）。具体的には、状況通信端末Ｂの状況推論値が「２」であるから、状況表示テーブル記憶エリア３０５（図１２参照）に従って、上部にＬＥＤ２１を青色で点灯する。尚、状況通信端末Ａ自身の状況推論値は「１」であるから、既に自端末状況表示処理（図１３，Ｓ５）により、下部にはＬＥＤ２１が赤色で点灯されている。
【００８７】
以上説明したように、本実施形態の状況通信システム１００によれば、各状況通信端末１において、使用者が通信したい相手方を指定するために識別部材５２を装着部５５に装着する。すると、フォトセンサ１８により指定端末のＩＤが取得される。そして、各種センサ１２〜１７により常時センシングを実行し、得られたセンシングデータに基づいて状況推論を行なって状況推論値を得、取得した指定端末ＩＤとともに自端末情報として仲介サーバ２に送信する。仲介サーバ２では、端末情報を受信すると、全端末情報記憶エリア１８２の当該端末にかかるレコードを更新し、端末情報を送信してきた状況通信端末１に対して全端末情報を送り返す。全端末情報を受信した状況通信端末１では、これを一旦ＲＡＭ３０の全端末情報記憶エリア３０４に蓄積して、指定端末情報により指定された他の状況通信端末１の端末情報を検索し、発見されたら、その状況推論値に基づいてアクチュエータを用いて状況通信端末１の上部に表現する。使用者が通信したい相手方を変更したい場合には、現在装着されている識別部材５２に代えて、次の相手方を示す識別部材５２を装着部５５に装着すれば、０．５秒毎に繰り返し実行されているＩＤ認識処理により指定端末ＩＤが認識され、変更されて仲介サーバ２に送信されるので、返信される全端末情報を受けて、変更後の指定端末の状況が表現できる。
【００８８】
尚、上記実施形態において、図１７のＳ４１で自端末情報送信処理を実行する状況通信端末のＣＰＵ１０が本発明の送信手段として機能する。また、図１７のＳ４２で全端末情報受信処理を実行する状況通信端末のＣＰＵ１０が本発明の受信手段として機能する。
【００８９】
尚、本発明は、上記実施形態に限定されるものではなく、その趣旨を逸脱しない範囲で適宜変更を加えることができる。例えば、上記実施形態では、端末情報の送信を仲介サーバ２を介して行なっているが、仲介サーバ２を介さずに、直接状況通信端末１同士を接続して送信するようにしてもよい。また、状況通信端末１は、球体状の筐体に限られるものではなく、使用者が把持できる大きさであればよい。また、識別部材５２は、カード型に限られるものではなく、鍵型や棒状であってもよい。さらに、識別部材の通信先ＩＤの検出は、反射型スリットとフォトセンサの組み合わせでなくてもよく、フラッシュメモリやＲＦＩＤ等の公知の部材を用いることができる。
【図面の簡単な説明】
【００９０】
【図１】状況通信システム１００の構成を示すシステム構成図である。
【図２】状況通信端末１を斜め上方から見たイメージ図である。
【図３】状況通信端末１を前方から見たイメージ図である。
【図４】状況通信端末１を側方から見たイメージ図である。
【図５】（ａ）が識別部材５２の表面図であり、（ｂ）が識別部材５２の裏面図である。
【図６】状況通信端末１の電気的構成を示すブロック図である。
【図７】ＲＡＭ３０の記憶エリアの構成を示す模式図である。
【図８】ＲＡＭ３０のセンシングデータ記憶エリア３０１の構成を示す模式図である。
【図９】状況推論テーブル記憶エリア３０２に記憶された状況推論テーブルの構成を示す模式図である。
【図１０】自端末情報記憶エリア３０３の構成を示す模式図である。
【図１１】全端末情報記憶エリア３０４の構成を示す模式図である。
【図１２】状況表示テーブル記憶エリア３０５に記憶された状況表示テーブルの構成を示す模式図である。
【図１３】状況通信端末１のメイン処理のフローチャートである。
【図１４】メイン処理により起動されるＩＤ認識処理のフローチャートである。
【図１５】メイン処理により起動されるセンサ処理のフローチャートである。
【図１６】メイン処理で実行される状況推論処理のフローチャートである。
【図１７】メイン処理で実行されるデータ送受信処理のフローチャートである。
【図１８】メイン処理で実行される状況表示処理のフローチャートである。
【図１９】仲介サーバ２の電気的構成を示すブロック図である。
【図２０】全端末情報記憶エリア１８２の構成を示す模式図である。
【図２１】仲介サーバ２のメイン処理のフローチャートである。
【図２２】状況通信システム１００のタイムチャートである。
【符号の説明】
【００９１】
１      状況通信端末
１０      ＣＰＵ
１２      加速度センサ
１３      温度センサ
１４      赤外線センサ
１５      光センサ
１６      圧力センサ
１７      マイク
１８      フォトセンサ
３０      ＲＡＭ
５０      窪み部
５２      識別部材
５４      表示領域
５５      装着部
【図１】
2007110459.tif 000003
【図２】
2007110459.tif 000004
【図３】
2007110459.tif 000005
【図４】
2007110459.tif 000006
【図５】
2007110459.tif 000007
【図６】
2007110459.tif 000008
【図７】
2007110459.tif 000009
【図８】
2007110459.tif 000010
【図９】
2007110459.tif 000011
【図１０】
2007110459.tif 000012
【図１１】
2007110459.tif 000013
【図１２】
2007110459.tif 000014
【図１３】
2007110459.tif 000015
【図１４】
2007110459.tif 000016
【図１５】
2007110459.tif 000017
【図１６】
2007110459.tif 000018
【図１７】
2007110459.tif 000019
【図１８】
2007110459.tif 000020
【図１９】
2007110459.tif 000021
【図２０】
2007110459.tif 000022
【図２１】
2007110459.tif 000023
【図２２】
2007110459.tif 000024